(57)【特許請求の範囲】
【請求項１】
ユーザによって踏まれることができる少なくとも１つの消毒部（１０，１１０）を備え、前記消毒部（１０，１１０）には、この消毒部（１０，１１０）に置かれたユーザの面に向けて消毒物質を出すのに適した消毒手段が設けられており、前記消毒部は踏み込み支持面（１４）を備えており、前記消毒手段は前記支持面の下方の消毒部に形成された消毒シート（１６）に搭載されており、
前記消毒手段は、
消毒物質が入っている少なくとも１つのタンク（２２，１２０）と、
前記支持面に開口端を有し、前記タンク（２２，１２０）と流体連通する少なくとも１つのディスペンシングノズル（２４，１２２）と、
消毒コマンド信号の存在下で、消毒物質のスプレー又は蒸発ジェット若しくは噴霧ジェットを生成するアクチュエータ手段（３０，１３０）と
を備えているドアマットであって、
ユーザの両足の支持面を同時に消毒するために２つの消毒部（１０，１１０）を備え、
前記消毒部（１０，１１０）は、互いに分離され、それぞれのカーペット部（１２）に沿って配置されており、前記カーペット部は、前記ユーザの両足を受けられる幅を有し、前記ユーザの両足の支持面をクリーニングするのに適していることを特徴とするドアマット。
【請求項２】
請求項１に記載のドアマットにおいて、
前記タンク（２２）は加圧された推進ガスと混合された消毒物質を入れており、このタンク（２２）には前記少なくとも１つのディスペンシングノズル（２４）がバルブ手段を介して接続されており、前記バルブ手段は、前記タンクを前記ディスペンシングノズルに流体連通させるように作動可能であり、前記アクチュエータ手段は電気機械式アクチュエータ手段（３０）であって、消毒コマンド信号の存在下で、前記バルブ手段を作動させるよう前記バルブ手段と相互に作用することを特徴とするドアマット。
【請求項３】
請求項２に記載のドアマットにおいて、
前記電気機械式アクチュエータ手段は、前記消毒コマンド信号によって作動可能なモータ装置（３４）と、前記バルブ手段に作用するよう前記モータ装置によって操作可能な復帰手段（３６，３８）とを備えていることを特徴とするドアマット。
【請求項４】
請求項２又は３に記載のドアマットにおいて、
前記バルブ手段は、非アクティブな前進位置と後退位置との間を移動可能なシャッター部材を備えており、前記前進位置では前記シャッター部材は消毒物質が前記タンクから前記ノズルへと移動するのを防止し、前記後退位置では前記シャッター部材はそのような移動を許容し、前記復帰手段は、前記シャッター部材を前記前進位置から前記後退位置へと動かすのに適したカム装置（３８）を備えていることを特徴とするドアマット。
【請求項５】
請求項１に記載のドアマットにおいて、
前記タンク（１２０）は前記消毒物質を消毒液の形態で入れるのに適しており、前記アクチュエータ手段は、前記消毒液を蒸発又は噴霧する蒸発又は噴霧手段（１３０）を備えていることを特徴とするドアマット。
【請求項６】
請求項１乃至５のいずれか１つに記載のドアマットにおいて、
前記蒸発又は噴霧手段は前記タンク（１２０）の底部に取り付けられた１以上の加熱セル（１３４）を備えることを特徴とするドアマット。
【請求項７】
請求項５又は６に記載のドアマットにおいて、
前記蒸発又は噴霧手段（１３０）は電子制御カード（１３２）によって指令されることを特徴とするドアマット。
【請求項８】
請求項５乃至７のいずれか１つに記載のドアマットにおいて、
前記タンクに前記消毒液を充填できるようにするために、前記タンク（１２０）には、取り外し可能なカバー（１２１）及び／又はトッピングオフ開口（topping-off opening)が設けられていることを特徴とするドアマット。
【請求項９】
請求項１乃至８のいずれか１つに記載のドアマットにおいて、
前記消毒コマンド信号は、ユーザ存在検知センサーによって前記アクチュエータ手段（３０，１３０）に供給されることを特徴とするドアマット。
【請求項１０】
請求項９に記載のドアマットにおいて、
前記ユーザ存在検知センサーは前記支持面（１４）に対向または接触し、前記支持面上のユーザの少なくとも一方の足の存在を検出するのに適していることを特徴とするドアマット。
【請求項１１】
請求項１乃至１０のいずれか１つに記載のドアマットにおいて、
前記電気装置及び／又は電子装置は前記消毒シートに搭載されたバッテリーパックによって電力供給されることを特徴とするドアマット。
【請求項１２】
請求項１乃至１１のいずれか１つに記載のドアマットにおいて、
前記支持面は人の体重を支えるのに適した支持グリッド（１８）を備えていることを特徴とするドアマット
【請求項１３】
請求項１乃至１２のいずれか１つに記載のドアマットにおいて、
トレイ又はパンの形態の基部（２００）を備え、前記基部には前記消毒部（１０，１１０）のためのシート（１６）が形成されて、前記カーペット部（１２）を受けるのに適しており、前記消毒部（１０，１１０）と前記カーペット部（１２）とは取り外し可能に前記基部（２００）に接続されていることを特徴とするドアマット。
【請求項１４】
請求項１乃至１３のいずれか１つに記載のドアマットにおいて、
前記支持面（１４）には消毒エリアを示すのに適した発光信号装置が結合していることを特徴とするドアマット。
【請求項１５】
請求項１乃至１４のいずれか１つに記載のドアマットにおいて、
該マットの操作状態を遠隔で制御できるようにするために、リモート制御装置、例えばスマートフォンあるいはホームオートメーションシステム、への接続のための通信インターフェースを備えていることを特徴とするドアマット。
【請求項１６】
請求項１乃至１５のいずれか１つに記載のドアマットにおいて、
地面からの最大高さが３０ｍｍ未満であることを特徴とするドアマット。
【発明の詳細な説明】
【技術分野】
【０００１】
この発明は、ユーザの支持面、例えば靴、を消毒する機能を備えた踏み込みマット(treadable mat)、特に、ドアマット、に関する。
【背景技術】
【０００２】
消毒機能を備えたマットは既に提案されている。例えばＵＳ１９９２６４８、ＵＳ３６９６４５９、ＦＲ２５５５０３に記載された幾つかの実施形態では、液体状態の消毒物質がマットに含有されていて、ユーザの足が乗るスポンジ層又は多孔質層に接触している。ユーザの体重により、このスポンジ層又は多孔質層に消毒物質が染みこみ、それがソールつまり底に接触する。このソルーションには幾つかの欠点がある。例えば、出てくる消毒物質の量は調整可能でも制御可能でもなく、ユーザの体重に依存している。特に、体重が重い場合には、マットはソールを過度に濡らしてしまうほどの量の物質を放出し得る。そして、過度に濡れたソールは、家の床に跡を残す。さらに、スポンジ質、多孔質又は繊維質の材料の層はかなり早く消耗する。
【０００３】
他の実施形態、例えばＥＰ２０９５７５６及びＵＳ８１６１５９０に記載された実施形態では、靴底を洗浄し消毒する複合自動化システムを提供している。これらのシステムは、回転ローラを備え、この回転ローラがマットを、職業用または産業用の特定のアプリケーションのみに適したものとしている。
【発明の開示】
【発明が解決しようとする課題】
【０００４】
この発明の目的は、ソールを消毒する手段を有するドアマットであって、公知の技術によるドアマットに関して説明した上述の欠点がなく、同時に、効果的で、単純で、製造するのに経済的であって、従来のドアマットと同様の全体寸法を有し、したがって、従来のドアマットの代わりに家庭環境の中でも広く使用することのできるドアマットを提案することである。
【課題を解決するための手段】
【０００５】
この目的は、請求項１に記載のドアマットによって達成される。従属請求項は発明の好ましい実施形態を記載している。
【０００６】
この発明に係る踏み込みマットの特徴及び利点は、それの非制限的例示として提供される好ましい実施形態について添付の図面を参照して行われる以下の説明から明らかとなる。
【図面の簡単な説明】
【０００７】
【図１】二つの消毒部を備えたこの発明に係るマットの斜視図である。
【０００８】
【図２】一方の消毒部の内部構成部分を示す。
【０００９】
【図３】一変形例における一方の消毒部の内部構成部分を示す。
【００１０】
【図４】下方から見たマットの断面図で、図３に示した一方の消毒部の下側の部分を示す。
【発明を実施するための最良の形態】
【００１１】
図面において、１，１００はこの発明に係るドアマット（以下、単に「マット」と言う）を全体的に示している。
【００１２】
包括的実施形態において、マットは少なくとも１つの消毒部１０，１１０を備えている。消毒部１０，１１０は、ユーザによって踏まれることができ、この消毒部１０，１１０に置かれたユーザの面、例えば靴の底、に消毒物質を出すのに適した消毒手段を備えている。
【００１３】
好ましい実施形態では、この発明に係るマット１，１００は長方形の形状と従来のドアマットの典型的寸法とを有している。
【００１４】
好ましくは、例えば図１に示すように、マット１，１００は、はっきりと分画された２つの消毒部１０，１１０を備えている。これらの消毒部１０，１１０の幅は靴の底の幅と同じか又は少し大きくて、そのマットに立ち止まったユーザの両方の靴底を同時に処理するようになっている。例えば、各消毒部１０，１１０は長方形の形状であり、マット１，１００の全面積の１／４に略等しい表面積を有する。例えば、これらの２つの消毒部１０，１１０は、例えば幅が同じ従来のカーペット支持エリア１２と交互に設けられる。
【００１５】
各消毒部１０，１１０はユーザの体重を支えるのに適した踏み込み支持面（treadable support surface)１４を備えている。消毒手段は、この支持面１４の下方の消毒部１０，１１０に形成された消毒シート（座面）１６に設けられている。従って、支持面１４は、ユーザの体重に耐えかつ下側の消毒手段を保護すべく十分な剛性を有する。
【００１６】
例えば、支持面１４は金属製の支持グリッド１８を備えている。この金属製のグリッド１８の直下には、外の物質が消毒シート１６に侵入するのを防止するのに適したカバー２０を設けることができる。
【００１７】
図１，２に示す一実施形態では、消毒手段は、加圧された推進ガス（噴射ガス）と混合された消毒物質が入っている少なくとも１つのタンク２２を備えている。このタンク２２には、消毒部１０の支持面１４上に又は支持面１４に向けて開口する開口端を有する少なくとも１つのディスペンシングノズル２４が流体接続されている。各ディスペンシングノズル２４は図示しないバルブ手段を介してタンク２２に接続されており、このバルブ手段はタンク２２をディスペンシングノズル２４に流体連通させるように作動される。このバルブ手段が作動されると、タンク２２の内部が外部の環境と連通し、加圧下にある推進ガス（噴射ガス）により消毒物質流がディスペンシングノズル２４から自動的に噴射される。
【００１８】
好ましい実施形態において、タンク−ノズル−バルブ手段アセンブリが、従来タイプのエアゾールスプレー缶を用いて実現される。マット１の全高を減らすために、タンク、例えばエアゾールスプレー缶の形態でのタンクは、ディスペンシングノズル２４だけを鉛直方向上方に向けた状態で、水平方向に配置される。
【００１９】
一実施形態では、長期にわたる消毒処理を可能にしつつマット高の全高を減らすことのできる消毒物質量を有するために、２つのタンク２２が用いられる。これらのタンクは軸方向が消毒部の長手方向となるように並べられ、それぞれディスペンシングノズル２４を備えている。例えば、２つのタンク２２は消毒部１０の両端に配置されており、それらのディスペンシングノズル２４は向かい合い、かつ、靴底にできるだけ均一に消毒物質をスプレーできるような距離だけ離れている。
【００２０】
このような条件において、マット１の厚さを２５ｍｍ以内に納めることができる。
【００２１】
前記バルブ手段は、３０で示される電気機械式アクチュエータ手段によって作動可能つまり作動させることができる。この電気機械式アクチュエータ手段３０は、消毒コマンド信号の存在下で、前記バルブ手段を作動させるため、前記バルブ手段と相互に作用することができる。
【００２２】
一実施形態では、消毒コマンド信号は、ユーザ存在検知センサー３２によって前記電気機械式アクチュエータに供給される。
【００２３】
好ましくは、ユーザ存在検知センサー３２は前記支持面に対向または接触し、この支持面上のユーザの少なくとも一方の足の存在を検出するのに適している。
【００２４】
一実施形態では、電気機械式アクチュエータ３０は、消毒コマンド信号によって作動するモータ装置３４、例えばＤＣ電気モータと、前記バルブ手段に作用するようこのモータ装置によって操作可能な（commandable)復帰手段（return means)３６とを備えている。
【００２５】
例えば、一実施形態では、前記バルブ手段は、非アクティブな前進位置と後退位置との間を移動可能なシャッター部材を備えており、前進位置ではシャッター部材が消毒物質がタンクからノズルへと移動するのを防止し、後退位置ではシャッター部材はそのような移動を許容する。この実施形態では、前記復帰手段３６は、前記シャッター部材を前記前進位置から前記後退位置へと動かすのに適したカム装置（cam organ)３８を備えている。
【００２６】
図３，４は、蒸発ジェット又は噴霧ジェットの形態で消毒物質を出す一変形例に係る消毒部１１０を有するマット１００を示している。
【００２７】
各消毒部１１０は蒸発または噴霧される消毒液を入れるのに適したタンク１２０を備えている。例えば、消毒液は粉末消毒物質が溶解している水溶液である。
【００２８】
タンク１２０は、消毒物質を蒸発ジェット又は噴霧ジェットの形態で放出するのを許容するのに適した１以上のディスペンシングノズル１２２を備えている。
【００２９】
一実施形態では、タンク１２０は、消毒部１１０の殆ど全表面を略覆うように平面視において平坦かつ引き伸ばされた形態を有する。好ましくは、等間隔に配置された３つのディスペンシングノズル１２２があり、消毒部１１０に載せられた靴の全てのサイズに対応できるようになっている。
【００３０】
各消毒部１１０は、消毒液を蒸発または噴霧するように操作可能な蒸発又は噴霧手段１３０を備えている。
【００３１】
一実施形態では、かかる蒸発又は噴霧手段はタンク１２０の底部に取り付けられた１以上の加熱セル１３４を備える。
【００３２】
他の実施形態では、超音波式アクチュエータ又は適切な手段が消毒液の噴霧を生成するために使用され得る。
【００３３】
したがって、ディスペンシングノズル１２２によって出される消毒物質は、蒸気及び／又は液体状態にある粒子によって、非常に小さい滴の形態で、形成される場合がある。
【００３４】
蒸発又は噴霧手段１３０は、例えば、タンク１２０の側に置かれた電子制御カード（electronic control card)１３２によって、制御される。
【００３５】
一実施形態では、少なくとも１つのユーザ存在検出センサー３２、例えば、ホトセルによる消毒部１１０の支持面１４上の靴の存在の検知に続いて、蒸発又は噴霧手段１３０が作動させられる。
【００３６】
好ましくは、異なるサイズの靴の存在を検出できるよう２つの存在検知センサーが設けられる。
【００３７】
一実施形態では、各ユーザ存在検知センサー３２はタンク１２０上に配置されたそれぞれの電子カードつまり電子基板（electronic card) ３２’に搭載されている。
【００３８】
一実施形態では、タンク１２０の上側には１以上の窪み１２０’があり、その中に存在検知センサーの電子カード３２’が配置されている。
【００３９】
一実施形態では、タンク１２０に消毒液を充填できるようにするために、タンク１２０には、取り外し可能なカバー１２１及び／又はトッピングオフ開口（topping-off opening)(つまり、継ぎ足し用の開口）が設けられている。
【００４０】
この目的のために、消毒液が予め定められた閾値よりも低下したことを知らせるのに適した液レベルセンサが設けられる。
【００４１】
一実施形態では、マット１，１００の電気及び電子装置は消毒シート１６に搭載されたバッテリーパック４０によって電力供給される。こうして、マットは電流ソケットへの電気接続ケーブルを有していないので、マット近傍における電気ソケットの存在の有無とは無関係に配置することができる。
【００４２】
一実施形態では、マット１，１００はトレイ又はパン（平なべ）の形態の、すなわち立ち上がった縁部２０２を有する基部２００を備えている。前記基部２００には消毒部１０，１１０のためのシート（座）１６が形成されており、前記シートはカーペット部１２を受けるのに適している。
【００４３】
一実施形態では、消毒部１０とカーペット部１２は基部２００から取り外し可能で、基部の適切な定期的クリーニングができるようになっている。
【００４４】
例えば、基部２００は、ノンスリップで簡単に清浄及び洗浄ができるように、プラスチック材料又はエラストマー材料、例えば、半剛性のシリコーンゴムから作ることができる。
【００４５】
一実施形態では、カーペット部１２はベルクロ（Velcro）（登録商標）又はクリップ式留め（clip-on)装置によって基部２００に接続されている。
【００４６】
特に蒸発ジェット又は噴霧ジェットを出す場合には、支持グリッド１８を非常に細かいメッシュで形成することができる。これは特に細いヒールがその中に嵌まり込むのを防止するためである。
【００４７】
一実施形態では、支持面１４は、暗がりでも消毒エリアを示すのに適した発光信号装置１４２と協働することができる。例えば、そのような信号装置はLEDストリップを含み得る。
【００４８】
一実施形態では、マットの操作状態を遠隔で制御できるようにするために、電子制御カード１３２にはリモート制御装置、例えばスマートフォンあるいはホームオートメーションシステムへの接続のための通信インターフェースが設けられていてもよい。
【００４９】
前記マットが前述の目的の達成を可能とすることは明らかである。
【００５０】
消毒手段の構成と配置とにより、マットは依然として非常にコンパクトであり、消毒手段のないマット（例えばドアマット）の寸法を超えない。
【００５１】
例えば、消毒液用のタンク１２０を使用する場合には、マットの厚さは２０ｍｍ以下にさえなり得る。
【００５２】
したがって、この発明のマットは従来のドアマットと置換可能である。
【００５３】
何れの場合も、このマットは車椅子の通行を妨げないような高さを持つ。
【００５４】
また、このマットは、従来のドアマットのように扱えるほど十分軽い。
【００５５】
消毒処理は完全に自動であり、ユーザによるアクションを必要としない。
【００５６】
好ましい実施形態において、ユーザがその両足を消毒面の支持面上に置いたとき、処理が自動的に始まる一方、例えば、消毒物質の放出（dispensing)時間を予め設定することにより、あるいは、ユーザが支持面から移動して離れたときに、処理が自動的に終了する。
【００５７】
消毒手段及びそれの作動装置の構成は、何れの場合も、特に簡単で、それ故、信頼性がある。そして、このマットは市場に存在する部品で製造することができる。これはマットの製造コストを削減することを可能とするので、広範囲の使用に有利であり、家庭の中でさえ、いや特に家庭において広範囲に使用できる。
【００５８】
１又は２以上の加圧タンクに入れられた消毒物質のスプレーによって行われる、又は噴霧ジェット若しくは蒸発ジェットによって行われるソールの消毒は、一定量の消毒物質を出して、ソールを濡らしすぎないようにできる。
【００５９】
取り外し可能な部品を備えたトレイ状構造のお陰で、普通の床クリーニング道具、例えば電気掃除機、を用いてトレイに溜まった埃や泥を定期的に取り除くことにより、最初の衛生状態を回復させることは容易い。
【００６０】
取り外し可能な部品は洗い可能とできる。
【００６１】
支持グリッド１８は、スチレットヒール（細く尖ったヒール）付きの靴から滑り止め具の付いたソールの靴まで、如何なるソールでも支持するようになっており、高度の安全を確保する。
【００６２】
マット構造のモジュラー化は、設置環境と除去すべき泥のタイプとに応じて組成を変更することを可能とする。
【００６３】
カーペット部の摩耗または破損は、それらを取り替えることで解決でき，接着剤を用いる必要はない。
【００６４】
マットは床に組み込む必要が無く、高価な介入を回避できる。
【００６５】
蒸発又は噴霧の手段を備えた実施形態では、機械的可動部分がないため、マットの信頼性と静けさの点で有利である。
【００６６】
この分野の技術者は、偶発的な要求を満たすために、この発明に係るマットの実施形態に対して、次に続く請求の範囲から逸脱することなく、修正、変形、適合化、及び機能的に同等の他の部材との置換を行っても良い。ある実施形態に属するものとして記載された特徴のそれぞれは、記載された他の実施形態から独立して達成することができる。
【図１】
0006670859.tif 000002
【図２】
0006670859.tif 000003
【図３】
0006670859.tif 000004
【図４】
0006670859.tif 000005